(57)【特許請求の範囲】
【請求項１】
体型補正のための芯材を用いた芯材入り衣類の製造方法であって、
生地に反応型ホットメルト接着剤を塗布して芯材とする芯材塗布工程を含む
ことを特徴とする芯材入り衣類の製造方法。
【請求項２】
前記反応型ホットメルト接着剤に窒素ガスを混合して発泡させる
ことを特徴とする請求項１記載の芯材入り衣類の製造方法。
【請求項３】
少なくとも縦横２軸方向に移動可能な樹脂吐出部を備えた塗布装置により、反応型ホットメルト接着剤を塗布する
ことを特徴とする請求項１又は２記載の芯材入り衣類の製造方法。
【請求項４】
前記芯材塗布工程の前に、
生地を巻の状態から略放反または放反しないで、台の上に送り出す送り出し工程を含み、
前記芯材塗布工程の後に、
台上にて生地を接着するための接着用ホットメルト接着剤を塗布する接着剤塗布工程と、
塗布された接着用ホットメルト接着剤を乾燥させる乾燥工程とを含む
ことを特徴とする請求項１〜３のいずれか１項に記載の芯材入り衣類の製造方法。
【請求項５】
前記芯材塗布工程において、一方の生地に反応型ホットメルト接着剤を塗布して硬化させて芯材とした後に、
前記芯材の上に他方の生地を重ね、前記芯材を避けて、生地を接着するための接着用ホットメルト接着剤を塗布して、前記他方の生地に前記芯材を固着させない
ことを特徴とする請求項１〜３のいずれか１項に記載の芯材入り衣類の製造方法。
【請求項６】
カップ部を有し、カップ部に体型補正のための芯材を用いた衣類であって、
カップ部周りにω状に反応型ホットメルト接着剤で形成された芯材を備えることを特徴とする芯材入り衣類。
【請求項７】
カップ部を有し、カップ部に体型補正のための芯材を用いた衣類であって、
カップ部を有する衣類の肩紐部からカップ部の脇部中間高さよりも、上の部分からカップ部へ連なり、カップ部下部脇側を１往復以上し、カップ外周に沿って、肩紐の内側の縁の付け根まで進み、つづいてカップ外周から離れ、肩紐の内側縁に沿って肩紐の頂点付近まで反応型ホットメルト接着剤を塗布して形成された芯材を備える
ことを特徴とする芯材入り衣類。
【請求項８】
一方の生地に反応型ホットメルト接着剤を塗布し硬化させて形成される芯材を備え、
前記芯材の上に他方の生地を重ね、前記芯材を避けて接着用ホットメルト接着剤が塗布され、前記他方の生地に前記芯材が固着されていない
ことを特徴とする芯材入り衣類。
【発明の詳細な説明】
【技術分野】
【０００１】  本発明は、体型補正のための芯材を用いたブラジャーやウェストニッパーなどの衣類に関し、芯材の成型方法に関する。
【背景技術】
【０００２】  従来、ブラジャーやウェストニッパーなどの女性用衣類では、体型を補正するために金属や樹脂製の芯材が挿入されている。通常、生地を折りたたんで筒を形成し、その筒をブラジャーなどの衣類本体に取り付け、筒内に芯材を挿入して、筒の開口部を塞ぐことによって芯材を衣類に固定している。このように、芯材を衣類に固定するためには、多数の工程を必要とし、縫製においては、芯材の周辺を縫製する必要があるため、針折れの危険も伴っている。【０００３】  この点、特許文献１では、芯材を挿入するための筒を形成せず、芯材を直接、ブラジャーのカップ部等に粘着剤を用いて貼り付け、芯材の周りのカップ材を接着し固定する方法が開示されている。また、特許文献２では、EVAなどの芯材とシートをあらかじめ所定形状にカットし、カップ生地に挟み込んで接着した後、モールド成型する方法が開示されており、工程数の減少や、縫製時の針折れなどの減少に一定の効果が見込まれている。
【先行技術文献】
【特許文献】
【０００４】
【特許文献１】特開２０１３−８７４０４号公報
【特許文献２】特表２０１４−５０６９６４号公報
【発明の概要】
【発明が解決しようとする課題】
【０００５】  しかしながら、上記特許文献１および２の方法では芯材をあらかじめ所定形状にカットしておかなければならない。また、モールドと芯材との位置決めが難しく、既定位置に置いたとしても、接着時にずれてしまうという問題がある。【０００６】  そこで、本発明はこのような問題を解決するためになされたものであり、工程数を少なくしつつ、位置決めを容易にすることができる芯材入り衣類の製造方法を提供することを目的とする。
【課題を解決するための手段】
【０００７】  上記問題を解決するために、本発明に係る芯材入り衣類の製造方法は、体型補正のための芯材を用いた芯材入り衣類の製造方法であって、生地に反応型ホットメルト接着剤を塗布して芯材とする芯材塗布工程を含むことを特徴とする。【０００８】  ここで、前記反応型ホットメルト接着剤に窒素ガスを混合して発泡させるのが好ましく、少なくとも縦横２軸方向に移動可能な樹脂吐出部を備えた塗布装置により、反応型ホットメルト接着剤を塗布するとしてもよい。【０００９】  また、前記芯材塗布工程の前に、生地を巻の状態から略放反または放反しないで、台の上に送り出す送り出し工程を含み、前記芯材塗布工程の後に、台上にて生地を接着するための接着用ホットメルト接着剤を塗布する接着剤塗布工程と、塗布された接着用ホットメルト接着剤を乾燥させる乾燥工程とを含むとするのが好ましい。【００１０】  さらに、前記芯材塗布工程において、一方の生地に反応型ホットメルト接着剤を塗布して硬化させて芯材とした後に、前記接着剤塗布工程において、前記芯材の上に他方の生地を重ね、前記芯材を避けて接着用ホットメルト接着剤を塗布して、前記他方の生地に前記芯材を固着させないとしてもよい。【００１１】  本発明に係る芯材入り衣類として、ブラジャー等のカップ部を有し、カップ部に体型補正のための芯材を用いた衣類であって、カップ部周りにω状に反応型ホットメルト接着剤で形成された芯材を備えることを特徴とする芯材入り衣類と構成してもよい。【００１２】  また、ブラジャー等のカップ部を有し、カップ部に体型補正のための芯材を用いた衣類であって、カップ部を有する衣類の肩紐部からカップ部の脇部中間高さよりも、上の部分からカップ部へ連なり、カップ部下部脇側を１往復以上し、カップ外周に沿って、肩紐の内側の縁の付け根まで進み、つづいてカップ外周から離れ、肩紐の内側縁にそって肩紐の頂点付近まで反応型ホットメルト接着剤を塗布して形成された芯材を備えるという構成としてもよい。【００１３】  さらに、ブラジャー等のカップ部を有し、カップ部に体型補正のための芯材を用いた衣類であって、一方の生地に反応型ホットメルト接着剤を塗布し硬化させて形成される芯材を備え、前記芯材の上に他方の生地を重ね、前記芯材を避けて接着用ホットメルト接着剤が塗布され、前記他方の生地に前記芯材が固着されていないという構成としてもよい。
【発明の効果】
【００１４】  以上のように、本発明に係る芯材入り衣類の製造方法によれば、工程数を少なくしつつ、位置決めを容易にして芯材入り衣類を製造することができる。
【図面の簡単な説明】
【００１５】
【図１】芯材入り衣類の製造方法を実現する装置の構成例を示す図である。
【図２】芯材入りのブラジャーの半製品を示す図である。
【図３】芯材入りのブラジャーを示す図である。
【図４】芯材の配置例を示す図である。
【図５】芯材形成の別の例を示す図である。
【図６】芯材配置の別の例を示す図である。
【発明を実施するための形態】
【００１６】  以下、本発明に係る芯材入り衣類の製造方法について、実施の形態に基づいて詳しく説明する。
【００１７】  本発明に係る芯材入り衣類の製造方法は、芯材を設置する生地に、反応型ホットメルト接着剤を直接塗布して、これを芯材として成型するというものである。反応型ホットメルト接着剤は、硬化後に耐熱性があり、例えば接着用のホットメルト接着剤と併用し、接着用のホットメルト接着剤が塗布された部分を接着した時でも、反応型ホットメルト接着剤が塗布された部分は他の生地と接着することがない。その一方で、反応型ホットメルト接着剤の塗布直後は粘着性があり生地と接着される。この性質を利用して、ブラジャーやウェストニッパーなどに用いられる芯材を反応型ホットメルト接着剤で形成し、芯材を挿入する生地の筒を使用することなく、コンピュータ制御により塗布することにより、製造の自動化と正確さを実現している。すなわち、接着剤塗布工程と芯材塗布工程とを設けることで、工程の省力化、自動化を実現するものである。
【００１８】  塗布方法は、反応型ホットメルト接着剤を吐出する装置を、ＸＹプロッターのように２軸方向に移動可能なアームや、３軸方向に移動できるロボットアームに取り付けて行う。塗布位置は生地を置く台上のＸ座標値、Ｙ座標値の絶対値で管理してもよいし、生地上に目印を印字し、それをカメラで読み取って、目印からの相対的なＸ座標値、Ｙ座標値で管理しても良い。台上の絶対値座標で管理する場合は、台上で、生地カットまで行わなければならないが、目印を設けた場合は、台上で、完結しなくてもよい。また、ある程度加工した半製品を台に固定し、ロボットアーム等で、半製品に直接塗布することもできる。ここで用いる反応型ホットメルト接着剤は湿気硬化型であり、２０秒で表面の粘着性がなくなるタイプであり、短時間で生地を重ねていくことができるる。反応型ホットメルト接着剤は樹脂の種類によって、表面の粘着性がなくなる時間が１時間のものもあれば２４時間のものもある。
【００１９】  この芯材入り衣類の製造方法を実現するものとして、カッティングプロッタに対応したベルトコンベアタイプのコンベア台１を使用する例を説明する。
【００２０】  コンベア台１の片端に生地２を巻いたロールの状態で設置し、生地２がロールからコンベア台１の上へ供給されるようにする。
【００２１】  生地２は、コンベア台１の手前で、略放反するために一旦垂らしてもよいし、略放反しないで送り出してもよい。ここでは、略放反しないで送り出すようにしている。コンベア台１上では、エアー吸引が行われ、生地２がコンベア台１のベルト上でずれないようにしている。
【００２２】  コンベア台１には、ネームを印字するためのプリント部７が縦横方向へ可動するアーム３に取り付けてあり、芯材用の反応型ホットメルト接着剤を塗布するための反応型ホットメルト吐出部８が縦横方向へ可動するアーム４に取り付けてある。また接着用のホットメルト接着剤１３を塗布するためのインクジェット方式の接着用ホットメルト吐出部９が縦横方向へ可動するアーム５に取り付けてある。なお、ここでは、ネーム印字にはパッドプリントを使用している。
【００２３】  最後に、カット歯１０が縦横方向へ可動するアーム６に取り付けてある。
【００２４】  生地２は、ロールからコンベア台１の上に開反され、コンベア台１の上でネーム１１が印刷され、芯材１２を構成する反応型ホットメルト接着剤と、接着用のホットメルト接着剤１３とが塗布されて、所定の形状にカッティングライン１４でカットされ、カット片１５が得られる仕組みとなっている。
【００２５】  接着用のホットメルト接着剤１３は、ポリウレタン系の接着剤である。芯材１２を構成する反応型ホットメルト接着剤はポリウレタン系の反応型ホットメルト接着剤であり、湿気硬化型である。
【００２６】  反応型ホットメルト接着剤は３次元架橋反応するため生地への接着力が強い。しかし、反応型ホットメルト接着剤は、硬化後に耐熱性があり、接着用のホットメルト接着剤を塗布して接着させた後でも、反応型ホットメルト接着剤を塗布した部分は他の生地と接着することがない。
【００２７】  ここで用いる反応型ホットメルト接着剤は、塗布後２０秒で表面の粘着性がなくなるものである。接着用のホットメルト接着剤１３は熱風による乾燥工程により２０秒で乾燥するので、ちょうど製造工程を止めることなく、生地を重ねていくことができる。
【００２８】  乾燥工程は、接着用のホットメルト接着剤１３の塗布工程後に設けても良いし、生地のカット後でもよい。反応型ホットメルト接着剤は樹脂の種類によって、表面の粘着性がなくなる時間が塗布後１時間のものもあれば２４時間のものもある。
【００２９】  また、反応型ホットメルト接着剤は、窒素ガスを混合して発泡させることができ、窒素ガスの添加量を変更することにより、硬化後の柔らかさを調整することができる。これにより、衣類着用時の肌あたりをよくすることができる湿気硬化型である。反応型ホットメルト接着剤としては、このほかにも湿気硬化型オレフィン系ホットメルト接着剤 （POR）や湿気硬化型スチレン系エラストマー （ＰＳＲ）を用いることができる。
【００３０】  ブラジャーのカップ部下辺の芯材は、体の凹凸部に位置するため、窒素ガスを加えて発泡させ、体への当たりを柔らかくしている。また、サイド部の芯材については、比較的、体の平らな部分に位置するために、窒素ガスを加えないで、平らな薄い状態に仕上げることもできる。なお、この場合は、芯材用の塗布機構がもう１台必要となる。
【００３１】  反応型ホットメルト接着剤で得られる芯材は、樹脂製であるため金属製の芯材ほど剛性は少ないが、塗布形状によって所定の剛性を付与することができる。塗布形状を含め、以下実施例を挙げながら説明する。
【００３２】（実施例１）  図２は上記工程によって作成されたブラジャーのカット片１５である。身生地１８の後身頃にネーム１１が印刷されており、前身頃に反応型ホットメルト接着剤で形成された芯材１２が接着されている。また、後身後と前身頃の脇部同士を接着するところと、前身頃の前当て１９が接着されるところに、それぞれ接着用のホットメルト接着剤１３が塗布された状態で出来てくる。反応型ホットメルト接着剤が完全に硬化した後、前当て１９を接着し、身生地１８の後身頃と前身頃の脇同士を接着すると図３のようなブラジャーが完成する。
【００３３】  カップ部１６は、前当て１９の接着後にモールド成型を行ってもよいし、良く伸びる生地であれば、モールド成型を行わなくてもよい。反応型ホットメルト接着剤を一方の生地に塗布して硬化させた後、硬化させて形成された芯材に他方の生地を重ねて、この芯材部分を避けて接着用のホットメルト接着剤にて両方の生地を接着すると、他方の生地には反応型ホットメルト接着剤の芯材が固着されずふらし状となるので、生地と生地の間にスペースができ、カップ部にパッド等を挿入しやすくなる。なお、カップ部に限られずブラジャーのバック部などにも、このような手順を適用してもよく、これにより、生地同士を接着で閉じながら生地と生地の間に空間を設けることができる。
【００３４】  以上のように、非常に少ない工程で、サポート用の芯材入りブラジャーが完成する。
【００３５】（実施例２）  実施例１のシステムを利用して、反応型ホットメルト接着剤で構成された芯材１２をカップ部１６の周りに小文字のω状になるように塗布して半製品２０を得る例である。
【００３６】  ω状にしたのは、反応型ホットメルト接着剤の芯材１２のサポート力の向上、すなわち、所定の剛性を付与するためである。
【００３７】  実施例１のような円弧状にした場合は、生地のみよりも、少しサポート感があるだけであるが、ω状にすることで、カップ部の生地の伸びを広範囲に制約することが出来、十分なサポート感が得られる。カップ部１６は、反応型ホットメルト接着剤が完全に硬化してから、モールドしてふくらみを持たせている。
【００３８】（実施例３）  実施例１のシステムを使用せず、３軸方向に吐出部を移動することできるロボットアーム１７を使用して、カップ部１６をモールド成型された半製品２０に、反応型ホットメルト接着剤を塗布して芯材１２を形成する例である。
【００３９】  図６が、反応型ホットメルト接着剤の塗布パターンである。
【００４０】  肩紐部頂点付近から肩紐の外側の縁にそってカップ部外周の脇側付近に半分よりやや上の所から、カップ内部へ進み、カップの頂点から１／３の深さ付近まで、各地点でのカップの半球の外周よりやや大きい曲線で進み、カップ下辺の２／３の位置まで進んだ時点で、Ｕターンして、カップの頂点から２／３の位置の地点を、その地点のカップ外周に沿って進む。反応型ホットメルト接着剤が肩紐部からカップへ侵入している地点に近づいたら、さらにＵターンし、カップ外周に沿って、肩紐の内側の縁の付け根まで進む。その後、カップ外周から離れ、肩紐の内側縁にそって肩紐の頂点付近まで塗布する。このように塗布すると、胸の下部脇側を面に近い形で支えることができる。また、肩紐まで伸びの少ない反応型ホットメルト接着剤が連続で続いていることから、カップ部が胸の重みで頂点が下がろうとするのを防ぐことが出来る。
【００４１】  ここでも芯材の柔らかさを出すために、反応型ホットメルト接着剤に窒素ガスを混合して発泡させてもよい。
【産業上の利用可能性】
【００４２】  本発明に係る芯材入り衣類の製造方法は、ブラジャーやウェストニッパーなどの芯材を用いた衣類の製造方法として有用である。
【符号の説明】
【００４３】１    コンベア台２    生地３，４，５，６    アーム７    プリント部８    反応型ホットメルト吐出部９    接着用ホットメルト吐出部１０    カット歯１１    ネーム１２    芯材１３    ホットメルト接着剤１４    カッティングライン１５    カット片１６    カップ部１７    ロボットアーム１８    身生地１９    前当て２０    半製品
【図１】
0006755604.tif 000002
【図２】
0006755604.tif 000003
【図３】
0006755604.tif 000004
【図４】
0006755604.tif 000005
【図５】
0006755604.tif 000006
【図６】
0006755604.tif 000007